(57)【要約】【課題】入力操作時は全長が長くなって把持しやすくなる。また、入力装置に収納する場合には全長が短くなって小型の入力装置にも容易に収納可能となる。しかも、構造が簡単で組立性が向上するとともに、軸筒１内を内軸２がスムーズに移動でき、伸縮の為の操作が容易に行える入力ペンを提供する。【解決手段】入力ペンによる入力操作時は軸筒１に対して内軸２が長手方向後方に移動して全長が長くなり、把持しやすくなる。また、入力ペンを入力装置に収納する場合には、軸筒１に対して内軸２が長手方向前方に移動して全長が短くなる。しかも、軸筒１に対する内軸２の移動をスムーズに行うために、内軸２に長手方向に伸びた切溝２Ａを並列に設けて弾性片２Ｂを形成し、この弾性片２Ｂに形成した突部２Ｃを軸筒１の内面１Ｂに摩擦接触させる。【選択図】　　　　　図１
2004127042.tif 000002
【特許請求の範囲】
【請求項１】
感圧式手書き入力装置に用いられる入力ペンにおいて、軸筒と、軸筒の前部に設けられた入力部材と、軸筒内に長手方向に摺動可能に取り付けられた内軸とからなり、内軸に、長手方向に伸びた切溝を並列に設けて弾性部を形成し、この弾性部に突部を形成し、前記突部を軸筒の内面と摩擦接触させたことを特徴とする入力ペン。
【請求項２】
内軸の後部を適度の長さに伸ばして構成し、この後部を軸筒の後端から突出させて頭冠を取り付け、軸筒に対して頭冠を伸縮可能に構成したことを特徴とする請求項１記載の入力ペン。
【請求項３】
頭冠の前部を適度の長さに伸ばして構成し、この前部を軸筒の後端より挿入して内軸に係合させ、軸筒に対して頭冠を伸縮可能に構成したことを特徴とする請求項１記載の入力ペン。
【請求項４】
内軸の弾性部に形成した突部を略半球状に構成したことを特徴とする請求項１乃至３記載の入力ペン。
【発明の詳細な説明】
【０００１】
【発明の属する技術分野】
本発明は、感圧方式の手書き入力装置に用いる伸縮可能な入力ペンに関するものである。
【０００２】
【従来の技術】
近年、小型の感圧式手書き入力装置は、携帯情報端末、ノート型パソコン、あるいはデジタルビデオカメラ等種々の機器に用いられている。しかし、従来の入力ペンは全長が長い為に極めて小型の感圧式手書き入力装置に収納することは不可能なため、収納時は全長が短く、入力操作時は全長が長くなる伸縮可能な入力ペンが開発された。この伸縮可能な入力ペンは、軸筒内を摺動する内軸にＯリングからなる弾性リングを取り付けていた。（例えば、特許文献１参照）
【０００３】
【特許文献１】
特開平１１−３４５０７０号（段落番号［０００５］、図１、図２）
【０００４】
【発明が解決しようとする課題】
しかし、従来の伸縮可能な入力ペンは、弾性リングの取り付けが面倒でコストアップになってしまうものであった。また、弾性リングが軸筒の内面に接触すると、摩擦抵抗が大きくて滑りにくくなり、内軸の移動がスムーズに行えないという課題が生じた。
【０００５】
本発明は、上記課題を解消する入力ペンを提供することを目的とするものである。
【０００６】
【課題を解決するための手段】
本発明は、感圧式手書き入力装置に用いる入力ペンにおいて、軸筒と、軸筒の前部に設けられた入力部材と、軸筒内に長手方向に摺動可能に取り付けられた内軸とからなり、内軸に、長手方向に伸びた切溝を並列に設けて弾性部を形成し、この弾性部に突部を形成し、前記突部を軸筒の内面と摩擦接触させたことを第１の要旨とする。
【０００７】
また、内軸の後部を適度の長さに伸ばして構成し、この後部を軸筒の後端から突出させて頭冠を取り付け、軸筒に対して頭冠を伸縮可能に構成したことを第２の要旨とする。
【０００８】
更にまた、頭冠の前部を適度の長さに伸ばして構成し、この前部を軸筒の後端より挿入して内軸に係合させ、軸筒に対して頭冠を伸縮可能に構成したことを第３の要旨とする。
【０００９】
更にまた、内軸の弾性部に形成した突部を略半球状に構成したことを第４の要旨とする。
【００１０】
【実施例】
以下、図１、図２及び図３に基づいて本発明の入力ペンを説明する。尚、図１の左側を前方とし右側を後方とする。
【００１１】
図１及び図２において、黄銅パイプにニッケルクロムメッキを施して作製した軸筒１の後端を適宜内側に折り曲げて内鍔１Ａを形成する。
【００１２】
また、ポリアセタール等の合成樹脂からなる内軸２の前部に、切溝２Ａを並列に形成して作製した２つの弾性片２Ｂを互いに対向させて構成し、この弾性片２Ｂのそれぞれに略半球状の突部２Ｃを形成する。内軸２の後部２Ｄは前部と比べて細径に形成され、かつ長手方向後方に適宜伸びて形成される。更に、内軸２の後端にはリセットピン３が一体に構成される。
【００１３】
この内軸２を前記軸筒１の前端から挿入し、内軸２の弾性片２Ｂに形成した突部２Ｃが軸筒１の内面１Ｂに適度の力で摩擦接触する。従って、内軸２は軸筒１に対して全長が伸びた位置や全長が短くなった位置で係止する。この内軸２の外段２Ｅを前記軸筒１の内鍔１Ａに当接させ、軸筒１の後端より突出した内軸２の後部２Ｄに頭冠４を着脱可能に螺合して取り付ける。
【００１４】
更に、軸筒１の前部にポリアセタール等の合成樹脂からなる入力部材５を螺合する。この入力部材５は略円錐形で先端５Ａが適宜丸められて形成される。
【００１５】
入力ペンの全長が伸びた図１の入力状態から入力ペンを入力装置に収納する場合には、先ず頭冠４を押圧して内軸２を前進させる。この時、内軸２の弾性片２Ｂに形成された突部２Ｃが軸筒１の内面１Ｂに摩擦接触しているが、内軸２の突部２Ｃが略半球状に形成されているので、内軸２は軸筒１内をスムーズに前進する。そして、軸筒１の後端と頭冠４が当接すると図３の収納状態となり、入力ペンの全長が短くなる。従って、小型の入力装置にも容易に収納することができる。
【００１６】
また、リセットピン３を使用する場合には、頭冠４を外してリセットピン３を露出させ使用する。
【００１７】
尚、上記実施例において、内軸２と頭冠４は螺合により連結しているが、内軸と頭冠の連結は螺合に限定されるものではなく、図示していないが凸部と凹溝の係合により着脱可能に連結しても良い。
【００１８】
次に、図４、図５及び図６により本発明の他の実施例を説明する。尚、図１と同一の部材は同一の符号を付してその説明は省略する。内軸１２に切溝１２Ａを並列に設けて弾性片１２Ｂを形成し、この弾性片１２Ｂに略半球状の突部１２Ｃを形成する。更に内軸１２の後部に内鍔１２Ｆを形成する。
【００１９】
また、頭冠１４は、後部に比べて細径に形成された前部１４Ａが長手方向前方に伸びて形成し、この前部１４Ａの先端に切溝１４Ｂを形成して撓み可能に形成するとともに更に凹溝１４Ｃを形成する。
【００２０】
前記内軸１２を軸筒１の前端から挿入し、内軸１２の弾性片１２Ｂに形成した突部１２Ｃが軸筒１の内面１Ｂに適度の力で摩擦接触する。
【００２１】
更に、軸筒１の後端より前記頭冠１４の前部１４Ａを挿入し、頭冠１４の凹溝１４Ｃに内軸１２の内鍔１２Ｆを係合させ、内軸１２に頭冠１４を連結する。
【００２２】
更にまた、軸筒１の前部にポリアセタール等の合成樹脂からなる入力部材１５を着脱可能に螺合して取り付ける。しかも、入力部材１５の後端にはリセットピン１３が一体に構成される。
【００２３】
次に、入力ペンの全長が伸びた図４の状態から入力ペンを入力装置に収納する場合には、頭冠１４を押圧して内軸１２を前進させる。この時、内軸１２の弾性片１２Ｂに形成された突部１２Ｃが軸筒１の内面１Ｂに摩擦接触しているが、内軸１２の突部１２Ｃが略半球状に形成されているので、内軸１２は軸筒１内をスムーズに前進する。そして、頭冠１４の段部１４Ｄが軸筒１の後端に当接すると図６の収納状態となり入力ペンの全長が短くなる。
【００２４】
また、リセットピン１３を使用する場合には、軸筒１より入力部材１５を外してリセットピン１３を露出し使用する。
【００２５】
尚、上記実施例はいずれも軸筒が黄銅パイプで作製されているので、ステンレスパイプに比べて内面の表面アラサが小さく、軸筒内を内軸がスムーズに移動できる。また、軸筒の表面はニッケルクロムメッキを施しているので外観も見栄え良く構成できる。
【００２６】
更に、上記実施例は入力部材や軸筒等をそれぞれ１個の部品として図示しているが、それぞれ２個以上の部品を螺合、圧入あるいは接着等により一体化しても本発明の目的・効果が十分得られるものである。
【００２７】
【発明の効果】
以上詳述した本発明の入力ペンは、組立性が向上し低価格で製造できるとともに、軸筒内を内軸がスムーズに移動でき、伸縮の為の操作が容易に行える入力ペンを提供することができる。
【図面の簡単な説明】
【図１】本発明の第１実施例において、入力ペンの全長が伸びた入力状態を示す断面図である。
【図２】図１のＡ−Ａ線を示す拡大断面図である。
【図３】本発明の第１実施例において、入力ペンの全長が短くなった収納状態を示す断面図である。
【図４】本発明の第２実施例において、入力ペンの全長が伸びた入力状態を示す断面図である。
【図５】図４のＡ−Ａ線を示す拡大断面図である。
【図６】本発明の第２実施例において、入力ペンの全長が短くなった収納状態を示す断面図である。
【符号の説明】
１　軸筒
１Ｂ　軸筒１の内面
２　内軸
２Ａ　内軸２の切溝
２Ｂ　内軸２の弾性片
２Ｃ　内軸２の突部
２Ｄ　内軸２の後部
４　頭冠
５　入力部材
１２　内軸
１２Ａ　内軸１２の切溝
１２Ｂ　内軸１２の弾性片
１２Ｃ　内軸１２の突部
１４　頭冠
１４Ａ　頭冠１４の前部
１５　入力部材
【図１】
2004127042.tif 000003
【図２】
2004127042.tif 000004
【図３】
2004127042.tif 000005
【図４】
2004127042.tif 000006
【図５】
2004127042.tif 000007
【図６】
2004127042.tif 000008